(57)【要約】      （修正有）【課題】振動の周波数が高く、美容の効果がよい美容装置の頭部および美容装置を提供する。【解決手段】美容装置の頭部は、ケース２０、ケースに連結される案内部３０、案内部とケースを固定連結させる少なくとも１つの固定部４０および案内部内に設けられるウルトラソニックセラミックチップ５０を含む。ケースは外部の取っ手に連結され、案内部は使用者の皮膚と接触し、ウルトラソニックセラミックチップの対向する二面上には極性が反対である電極が形成され、１つの電極は案内部に電気接続される。少なくとも１つの固定部は案内部と接触することにより電気伝送を実現し、案内部に電気接続される固定部上には回路構造に電気接続される有線耳部４１が形成され、他の１つの電極は回路構造の他端に電気接続される。【選択図】図３
0003226150.tif 000002
【実用新案登録請求の範囲】
【請求項１】
美容装置の頭部であって、ケース、前記ケースに連結される案内部、前記案内部とケースを固定連結させる少なくとも１つの固定部および前記案内部内に設けられるウルトラソニックセラミックチップを含み、前記ケースは外部の取っ手に連結され、前記案内部は使用者の皮膚と接触し、前記ウルトラソニックセラミックチップの対向する二面上には極性が反対である電極が形成され、１つの電極は前記案内部に電気接続され、少なくとも１つの前記固定部は前記案内部と接触することにより電気伝送を実現し、前記案内部に電気接続される固定部上には回路構造に電気接続される有線耳部が形成され、他の１つの電極は前記回路構造の他端に電気接続されることを特徴とする美容装置の頭部。
【請求項２】
前記ケース内には振動モーターが取り付けられ、前記振動モーターは前記回路構造に電気接続され、前記振動モーターが作動するとき形成される振動は前記ケースにより前記案内部に伝送されることを特徴とする請求項１に記載の美容装置の頭部。
【請求項３】
前記ケースはケース本体と前記ケース本体内に形成される固定コアを含み、前記固定コアには前記振動モーターを取り付ける収納部が形成され、前記振動モーターは前記収納部の内壁に当接し、前記固定コア上には前記固定部を挿入させる貫通孔が更に形成されることを特徴とする請求項２に記載の美容装置の頭部。
【請求項４】
美容装置の頭部は加熱部を更に含み、前記加熱部は前記ケースに近づいている前記案内部の一端に取り付けられ、前記加熱部は回路構造に電気接続されることを特徴とする請求項３に記載の美容装置の頭部。
【請求項５】
前記美容装置の頭部は前記案内部内に設けられる温度センサーを更に含み、前記温度センサーは回路構造に電気接続されることを特徴とする請求項４に記載の美容装置の頭部。
【請求項６】
前記回路構造上には制御装置が更に設けられ、前記制御装置は前記加熱部と前記温度センサーに電気接続され、前記制御装置は前記温度センサーが検出する温度により前記加熱部の作動を制御することを特徴とする請求項５に記載の美容装置の頭部。
【請求項７】
前記ケース本体内には固定フランジが形成され、前記固定フランジは前記収納部の内壁に沿って延伸し、前記固定フランジは前記固定コアの厚さの方向における２つの表面から突出していることを特徴とする請求項３に記載の美容装置の頭部。
【請求項８】
前記固定フランジには突起が形成され、前記突起と前記振動モーターは当接することを特徴とする請求項７に記載の美容装置の頭部。
【請求項９】
前記収納部の内壁には位置決め部が形成され、前記位置決め部は前記固定フランジの連結の方向の両側に形成され、前記位置決め部と前記振動モーターが接触することにより、前記位置決め部は前記振動モーターが前記案内部の一側に移動することを制限することを特徴とする請求項７に記載の美容装置の頭部。
【請求項１０】
前記案内部は皮膚と接触する円弧形の接触部と前記接触部に連結される連結柱を含み、前記連結柱は中空の形状に形成され、前記ウルトラソニックセラミックチップは前記連結柱内に収納され、前記加熱部は前記接触部から離れている前記連結柱の端面に連結され、前記案内部に近づいている前記固定コアの一側と前記ケース本体の端面との間には一定の距離が形成されることにより前記連結柱を収納させる空間が形成され、前記連結柱の外周面は前記ケースの内壁面に結合されることを特徴とする請求項４に記載の美容装置の頭部。
【請求項１１】
前記美容装置の頭部は密閉部を更に含み、前記密閉部は前記連結柱の端面と前記加熱部との間に取り付けられ、前記加熱部は前記固定コアの表面と接触することを特徴とする請求項１０に記載の美容装置の頭部。
【請求項１２】
前記美容装置の頭部は眼部美容装置の頭部であることを特徴とする請求項１〜１１のうちいずれか一項に記載の美容装置の頭部。
【請求項１３】
前記美容装置は前記ケースに連結される取っ手と前記取っ手に取り付けられるスイッチを含み、前記スイッチは前記ウルトラソニックセラミックチップ、振動モーター、加熱部、及び温度センサーの作動を制御することを特徴とする請求項１２に記載の美容装置の頭部。
【請求項１４】
前記美容装置内にはストーリッジバッテリーが取り付けられ、前記取っ手上には磁石吸着型充電口が形成され、外部の磁石吸着型充電装置を前記磁石吸着型充電口に結合させることにより前記美容装置の充電をし、前記磁石吸着型充電口の代わりにＤＣ充電インターフェース、type-cインターフェース、micro-usbインターフェース等の常用のインターフェースのうちいずれかの一種を用いることもできることを特徴とする請求項１３に記載の美容装置の頭部。
【考案の詳細な説明】
【技術分野】
【０００１】
この考案は、美容およびスキンケアーの技術分野に属し、特に美容装置の頭部および美容装置に関するものである。
【背景技術】
【０００２】
皮膚は人の健康と美麗を判断する１つの標準である。フェースの皮膚は長く空気中に露出しているので、光線中の紫外線、空気に含まれている汚染物、埃、細菌等の有害物が皮膚の表面に付着され、皮膚から分泌されるファット、スウェット、デッド細胞等は、皮膚の正常な機能に影響を与え、皮膚病の病因になり、アクネ等の皮膚の問題を招来し、皮膚の早老の原因になるおそれがある。また、年齢の増加により皮膚の老化が発生するとともに皺が形成される。したがって、皮膚の保護は日常生活においてなければならない一環になっている。
【０００３】
生活の品質の増加に伴い、市場にはいろいろな美容装置が出ている。多数の美容装置は超音波の振動方法により皮膚に対してマッサージをし、皮膚の保護を有効に実施することができる。図１を参照すると、従来の美容装置の頭部において、ウルトラソニックセラミックチップ５０の正極と負極を容易に接続させ、正極ｃと負極ｄが１つの表面上に間隔を空けて形成されるようにウルトラソニックセラミックチップ５０上に隔離部１１を形成する。隔離部１１は振動を形成しないので、ウルトラソニックセラミックチップ５０の振動の効率に影響を与えるとともに美容の効果にも影響を与えるおそれがある。
【考案の概要】
【考案が解決しようとする課題】
【０００４】
従来の美容装置の美容の効果がよくない欠点を解決するため、この考案において下記美容装置の頭部および美容装置を提供する。
【０００５】
前記技術的問題を解決するため、この考案において下記技術的方案を提供する。具体的に、この考案において美容装置の頭部を提供する。前記美容装置の頭部は、ケース、前記ケースに連結される案内部、前記案内部とケースを固定連結させる少なくとも１つの固定部および前記案内部内に設けられるウルトラソニックセラミックチップを含む。前記ケースは外部の取っ手に連結され、前記案内部は使用者の皮膚と接触し、前記ウルトラソニックセラミックチップの対向する二面上には極性が反対である電極が形成され、１つの電極は前記案内部に電気接続され、少なくとも１つの前記固定部は前記案内部と接触することにより電気伝送を実現し、前記案内部に電気接続される固定部上には回路構造に電気接続される有線耳部が形成され、他の１つの電極は前記回路構造の他端に電気接続される。
【０００６】
好ましくは、前記ケース内には振動モーターが取り付けられ、前記振動モーターは前記回路構造に電気接続され、前記振動モーターが作動するとき形成される振動は前記ケースにより前記案内部に伝送される。
【０００７】
好ましくは、前記ケースはケース本体と前記ケース本体内に形成される固定コアを含み、前記固定コアには前記振動モーターを取り付ける収納部が形成され、前記振動モーターは前記収納部の内壁に当接し、前記固定コア上には前記固定部を挿入させる貫通孔が更に形成される。
【０００８】
好ましくは、前記美容装置の頭部は加熱部を更に含み、前記加熱部は前記ケースに近づいている前記案内部の一端に取り付けられ、前記加熱部は回路構造に電気接続される。
【０００９】
好ましくは、前記美容装置の頭部は前記案内部内に設けられる温度センサーを更に含み、前記温度センサーは回路構造に電気接続される。
【００１０】
好ましくは、前記回路構造上には制御装置が更に設けられ、前記制御装置は前記加熱部と前記温度センサーに電気接続され、前記制御装置は前記温度センサーが検出する温度により前記加熱部の作動を制御する。
【００１１】
好ましくは、前記ケース本体内には固定フランジが形成され、前記固定フランジは前記収納部の内壁に沿って延伸し、前記固定フランジは前記固定コアの厚さの方向における２つの表面から突出している。
【００１２】
好ましくは、前記固定フランジには突起が形成され、前記突起と前記振動モーターは当接する。
【００１３】
好ましくは、前記収納部の内壁には位置決め部が形成され、前記位置決め部は前記固定フランジの連結の方向の両側に形成され、前記位置決め部と前記振動モーターが接触することにより、前記位置決め部は前記振動モーターが前記案内部の一側に移動することを制限する。
【００１４】
好ましくは、前記案内部は皮膚と接触する円弧形の接触部と前記接触部に連結される連結柱を含み、前記連結柱は中空の形状に形成され、前記ウルトラソニックセラミックチップは前記連結柱内に収納され、前記加熱部は前記接触部から離れている前記連結柱の端面に連結され、前記案内部に近づいている前記固定コアの一側と前記ケース本体の端面との間には一定の距離が形成されることにより前記連結柱を収納させる空間が形成され、前記連結柱の外周面は前記ケースの内壁面に結合される。
【００１５】
好ましくは、前記美容装置の頭部は密閉部を更に含み、前記密閉部は前記連結柱の端面と前記加熱部との間に取り付けられ、前記加熱部は前記固定コアの表面と接触する。
【００１６】
好ましくは、前記美容装置の頭部は眼部美容装置の頭部である。
【００１７】
好ましくは、前記美容装置は前記ケースに連結される取っ手と前記取っ手に取り付けられるスイッチを含み、前記スイッチは前記ウルトラソニックセラミックチップ、振動モーター、加熱部、及び温度センサーの作動を制御する。
【００１８】
好ましくは、前記美容装置内にはストーリッジバッテリーが取り付けられ、前記取っ手上には磁石吸着型充電口が形成され、外部の磁石吸着型充電装置を前記磁石吸着型充電口に結合させることにより前記美容装置の充電をし、前記磁石吸着型充電口の代わりにＤＣ充電インターフェース、type-cインターフェース、micro-usbインターフェース等の常用のインターフェースのうちいずれかの一種を用いることもできる。
【００１９】
従来の技術と比較してみると、この考案の美容装置の頭部および美容装置により下記考案の効果を獲得することができる。
１、美容装置の頭部は、ケース、前記ケースに連結される案内部、前記案内部とケースを固定連結させる少なくとも１つの固定部および案内部内に設けられるウルトラソニックセラミックチップを含む。ケースは外部の取っ手に連結され、案内部は使用者の皮膚と接触し、ウルトラソニックセラミックチップの対向する二面上には極性が反対である電極が形成され、１つの電極は案内部に電気接続される。少なくとも１つの固定部は案内部と接触することにより電気伝送を実現し、前記案内部に電気接続される固定部上には回路構造に電気接続される有線耳部が形成され、他の１つの電極は回路構造の他端に電気接続される。固定部により前記ケースと案内部は着脱可能に結合され、固定部によりウルトラソニックセラミックチップの１つの電極は案内部から離れている固定部の一端に電気接続される。固定部の他端上に有線耳部が形成されることにより導電構造が形成される。固定部は固定連結をするとともに導電構造を形成することにより、構造を簡単にし、コストを低減することができる。その場合、ウルトラソニックセラミックチップ上に他の導電構造を形成する必要がないので、組み立てを簡単にし、従来のウルトラソニックセラミックチップにおいて正極と負極を正確に接続させ、正極と負極が１つの表面上に間隔を空けて形成されるように隔離部を形成することを避けることができる。隔離部は振動を形成しないので、ウルトラソニックセラミックチップの振動の効率に影響を与えるおそれがある。
ウルトラソニックセラミックチップの振動によりジェルまたはエッセンスの液体構造を散らかすことにより霧を形成し、ジェルまたはエッセンスの吸収を促進させることができる。また、ウルトラソニックセラミックチップの振動により少量の熱が形成されるので、眼部の付近に対する定温のヒートパック（heat  pack）の効果を獲得し、眼部の付近の疲労、ダークネス（Darkness）および浮腫を有効に低減することができる。
【００２０】
２、ケース内には振動モーターが取り付けられている。振動モーターは前記回路構造に電気接続され、振動モーターが作動するとき形成される振動は前記ケースにより前記案内部に伝送される。振動モーターで高周波の振動を形成し、高周波の振動により皮膚のマッサージをし、ジェルまたはエッセンスが使用者の皮膚に吸収されることを促進させ、水分と栄養を正確に補充することができ、超音エネルギー波を継続的に出力することにより、荒い皮膚を白くて柔らかくし、潤滑にし、弾性があるようにすることができる。
【００２１】
３、ケースはケース本体と前記ケース本体内に形成される固定コアを含み、固定コアには振動モーターを取り付ける収納部が形成され、振動モーターは収納部の内壁に当接し、固定コア上には固定部を挿入させる貫通孔が更に形成され、振動モーターの振動はケースにより案内部に伝送される。それにより案内部の振動は使用者の皮膚に伝送され、超音波の振動美容をすることができる。
【００２２】
４、美容装置の頭部は加熱部を更に含み、前記加熱部は前記ケースに近づいている案内部の一端に取り付けられ、前記加熱部は回路構造に電気接続される。加熱部で加熱をすることにより案内部の温度を変化させ、皮膚の温度を変化させることができる。それによりジェルまたはエッセンスが皮膚に吸収されることを促進させ、加熱部の役割と振動モーターおよびウルトラソニックセラミックチップの振動により、美容装置の頭部で美容をする効果を更に向上させることができる。
【００２３】
５、美容装置の頭部は前記案内部内に設けられる温度センサーを更に含み、温度センサーは回路構造に電気接続され、回路構造上には制御装置が更に設けられ、制御装置は加熱部と温度センサーに電気接続される。制御装置は温度センサーが検出する温度により前記加熱部の作動を制御することにより、美容装置の頭部の案内部の作動の温度を有効に制御することができる。温度を所定の範囲にすることにより加熱部によって高温が形成されるとき皮膚を傷つけることを避けることができる。加熱して皮膚の美容をすることにより美容の効果を向上させることができる。
【００２４】
６、回路構造上には制御装置が更に設けられ、制御装置は加熱部と温度センサーに電気接続され、制御装置は温度センサーが検出する温度により前記加熱部の作動を制御する。制御装置で加熱部の作動を制御することにより、加熱部によって高温が形成されるとき案内部と接触する眼部の皮膚を傷つけるか或いは眼部の付近の皮膚を傷つけることを避けることができる。
【００２５】
７、ケース本体内には固定フランジが形成され、固定フランジは収納部の内壁に沿って延伸していることにより、固定フランジは前記固定コアの厚さの方向における２つの表面から突出している。固定フランジが形成されることにより振動モーターの振動を容易に伝送することができる。
【００２６】
８、前記固定フランジには突起が形成され、前記突起と前記振動モーターは当接する。突起が形成されることにより振動モーターの高周波の振動を振動モーターから固定フランジに伝送し、高周波の振動を形成することができる。それにより振動の面から点の伝送を形成し、点から面の拡散を形成し、振動の伝送の効率を向上させることができる。
【００２７】
９、前記収納部の内壁には位置決め部が形成され、前記位置決め部は前記固定フランジの連結の方向の両側に形成されている。前記位置決め部と振動モーターが接触することにより、前記位置決め部は前記振動モーターが前記案内部の一側に移動することを制限する。位置決め部で前記振動モーターの移動を制限することにより、振動モーターを取り付けるときそれを容易に固定させ、振動モーターと固定フランジとの間の接触の面積を大幅に増加させ、振動の伝送の効率を向上させることができる。
【００２８】
１０、案内部は皮膚と接触する円弧形の接触部と接触部に連結される連結柱を含む。連結柱は中空の形状に形成され、ウルトラソニックセラミックチップは連結柱内に収納され、加熱部は接触部から離れている連結柱の端面に連結され、案内部に近づいている固定コアの一側とケース本体の端面との間には一定の距離が形成されることにより連結柱を収納させる空間が形成され、連結柱の外周面はケースの内壁面に結合される。案内部の円弧形の接触部により、案内部を皮膚に接触させてマッサージをするとき快適性を増加させ、使用者の体験性を向上させることができる。前記ウルトラソニックセラミックチップは連結柱内に収納されることにより、回路構造と案内部の電気接続を容易に実施し、連結柱を収納させる空間および連結柱の外周面とケースの内壁面の接続により美容装置の頭部の体積を減少させ、小型を実現することができる。
【００２９】
１１、前記美容装置の頭部は密閉部を更に含み、前記密閉部は前記連結柱の端面と前記加熱部との間に取り付けられ、加熱部は固定コアの表面と接触する。密閉部が取り付けられることにより外部の液体、例えばジェルまたはエッセンスが回路構造に流入することを有効に防止し、密閉性を向上させることができる。
【００３０】
１２、前記美容装置の頭部は眼部美容装置の頭部であることにより眼部の美容をすることができる。それにより眼部の過度の疲労により形成されるブラックアイサークル（dark  eye  circles）、アンダーアイ・バッグ（Under-eye  Bags）および細かい皺等を低減し、眼部の付近の美容をすることができる。
【００３１】
１３、美容装置はケースに着脱可能に連結される取っ手と取っ手に取り付けられるスイッチを含む。スイッチは前記ウルトラソニックセラミックチップ、振動モーター、加熱部、及び温度センサーの作動を制御する。使用者は取っ手を把持することにより美容装置を使用し、スイッチで美容装置の頭部の作動の状態を制御することにより利便性を向上させることができる。
【００３２】
１４、美容装置内にはストーリッジバッテリーが取り付けられ、取っ手上には磁石吸着型充電口が形成されている。外部の磁石吸着型充電装置を磁石吸着型充電口に結合させることにより前記ストーリッジバッテリーの充電をすることができる。美容装置は磁石吸着型充電口と外部の磁石吸着型充電装置を連結させることにより充電をし、充電を容易にすることができる。美容装置の取っ手上にはＤＣ充電インターフェースが更に取り付けられている。磁石吸着型充電装置と比較してみると、ＤＣ充電インターフェースにより美容装置の充電を迅速に実施し、美容装置の充電の効率を向上させることができる。異なる充電インターフェースによりいろいろなニーズを満たすことができる。
【図面の簡単な説明】
【００３３】
【図１】この考案の従来の技術のウルトラソニックセラミックチップの構造を示す斜視図である。
【図２】この考案の第一実施例の美容装置の頭部の構造を示す斜視図である。
【図３】この考案の第一実施例の美容装置の頭部の構造を示す分解図である。
【図４】この考案の第一実施例の美容装置の頭部を示す平面図である。
【図５】図４のＡ―Ａ方向に沿う断面を示す断面図である。
【図６】この考案の第一実施例の美容装置の頭部のケースの構造を示す斜視図である。
【図７】この考案の第一実施例の美容装置の頭部を示す他の平面図である。
【図８】図７のＢ―Ｂ方向に沿う断面を示す断面図である。
【図９】この考案の第一実施例の美容装置の頭部の加熱部の構造を示す斜視図である。
【図１０】この考案の第一実施例の美容装置の頭部の構造を示す他の分解図である。
【図１１】この考案の第一実施例の美容装置の頭部の構造を示す他の分解図である。
【図１２】この考案の第一実施例の美容装置の頭部のケースの構造を示す斜視図である。
【図１３】この考案の第一実施例の美容装置の回路構造の構造を示す図である。
【図１４】この考案の第一実施例の美容装置の頭部の案内部の構造を示す図である。
【図１５】この考案の第一実施例の美容装置の頭部の構造を示す斜視図である。
【図１６】この考案の第一実施例の美容装置の頭部の構造を示す他の分解図である。
【図１７】この考案の第二実施例の美容装置の構造を示す斜視図である。
【考案を実施するための形態】
【００３４】
この考案の目的、技術的事項および考案の効果をより詳細に理解してもらうため、以下、図面と実施例によりこの考案をより詳細に説明する。注意されたいことは、下記具体的な実施例はこの考案を説明するものであるが、この考案を限定するものでない。
【００３５】
図２と図３を参照すると、本考案の第一実施例において美容装置の頭部１０を提供する。前記美容装置の頭部１０は、ケース２０、案内部３０および少なくとも１つの固定部４０を含み、前記ケース２０は外部の取っ手（図示せず）に連結され、案内部３０は使用者の皮膚と接触し、ケース２０と案内部３０は少なくとも１つの固定部４０により着脱可能に結合される。
【００３６】
この考案の具体的な実施形態において、案内部３０は使用者のフェース、頸部、眼部または他の位置と接触することができる。前記案内部３０は導電材料で形成される。例えば、前記案内部３０はステンレススチール、導電シリカゲル、導電ラバー等の導電材料で製造されることができる。本実施例において、案内部３０が使用者の眼部と接触することを例として説明する。
【００３７】
図３を参照すると、前記案内部３０は眼部と接触する接触部３１と接触部３１に固定連結される連結柱３２を含む。連結柱３２は中空の形状に形成され、その外部輪郭は接触部３１の外部輪郭に対応する。連結柱３２の直径方向のサイズは接触部３１の直径方向のサイズより小さく、連結柱３２と接触部３１の端面に形成される階段状構造により案内部３０をケース２０に容易に固定連結させることができる。案内部３０内にはウルトラソニックセラミックチップ５０が設けられ、前記ウルトラソニックセラミックチップ５０は前記連結柱３２内に収納され、前記ウルトラソニックセラミックチップ５０は前記接触部３１に固定連結される。具体的な実施例において、前記ウルトラソニックセラミックチップ５０は接着剤により連結柱３２に近づいている接触部３１の表面に固定連結されるか或いは溶接、結合等の手段により接触部３１に連結される。
【００３８】
図３を参照すると、前記ウルトラソニックセラミックチップ５０は、円形板状構造に形成され、対向する２つの円形面を含む。前記ウルトラソニックセラミックチップ５０上には極性が反対である二極すなわち正極と負極が形成され、正極と負極はウルトラソニックセラミックチップ５０の対向する２つの円形面上に形成される。前記ウルトラソニックセラミックチップ５０の正極または負極は前記案内部３０の接触部３１と接触することにより接触部に電気接続される。例えば、正極は前記接触部３１と対向し、正極は前記接触部３１と接触することにより接触部に電気接続され、負極は導線ｅにより回路構造に電気接続されるか或いは負極は前記接触部３１と対向し、負極は前記接触部３１と接触することにより接触部に電気接続され、正極は導線ｅにより回路構造に電気接続されることができる。少なくとも１つの前記固定部４０は前記案内部３０と接触することにより電気伝送を実現し、前記案内部３０に電気接続される固定部４０上には有線耳部４１が形成され、前記有線耳部４１は回路構造（図示せず）の一端に電気接続され、前記案内部３０に電気接続されない正極または負極は導線ｅにより回路構造の他端に電気接続されることにより、ウルトラソニックセラミックチップ５０の電気導電を実現する。具体的な実施形態において、前記回路構造は外部の取っ手内に設けられるか或いはケース２０内に設けられることができる。前記回路構造はＰＣＢ回路基板とＰＣＢ回路基板上に形成される線路構造を含み、前記有線耳部４１とウルトラソニックセラミックチップ５０は線路構造に電気接続される。ウルトラソニックセラミックチップ５０の振動によりジェルまたはエッセンスの液体構造を散らかすことにより霧を形成し、ジェルまたはエッセンスの吸収を促進させることができる。また、ウルトラソニックセラミックチップ５０の振動により少量の熱が形成されるので、眼部の付近に対する定温のヒートパック（heat  pack）の効果を獲得し、眼部の付近の疲労、ダークネス（Darkness）および浮腫を有効に低減することができる。
【００３９】
図３、図４および図５を参照すると、前記ケース２０は柱形の構造を有しており、前記ケース２０は柱形のケース本体２１と前記ケース本体２１内に形成される固定コア２２を含み、固定コア２２はケース本体２１内に形成される円盤形構造である。前記案内部３０に向かっている固定コア２２の端面と前記ケース本体２１の端面との間には一定の距離が形成されることにより前記連結柱３２を収納させる空間が形成され、前記連結柱３２の外周面は前記ケース２０の内壁面に結合される。前記固定コア２２上には貫通孔２２３が形成され、前記貫通孔２２３の数量は前記固定部４０の数量に対応する。固定部４０は、前記貫通孔２２３により固定コア２２の一側から前記案内部３０側に延伸するとともに案内部３０に電気接続され、かつ案内部３０とケース２０を固定連結させる。
【００４０】
図３、図４および図５を参照すると、前記ケース２０内には振動モーター２３が更に取り付けられている。前記振動モーター２３はモーター２３１とモーター２３１に電気接続されるピン２３２を含み、前記モーター２３１は柱形の構造を有している。
【００４１】
前記固定コア２２には振動モーター２３を取り付ける収納部２５が形成されている。前記ケース本体２１内には２つの固定フランジ２４が形成され、前記固定フランジ２４は収納部２５の内壁に沿って延伸していることにより、固定フランジ２４は前記固定コア２２の厚さの方向における２つの表面から突出している。２つの固定フランジ２４の対向するように形成される空間は前記収納部２５と貫通しており、前記振動モーター２３は収納部２５と２つの固定フランジ２４により形成される空間内に同時に収納される。振動モーター２３は収納部２５の内壁と２つの固定フランジ２４に当接し、固定フランジ２４が形成されることにより振動モーター２３の接触の面積を有効に増加させ、振動モーター２３とのエネルギーの伝達を有効に実施することができる。振動モーター２３は振動を固定フランジ２４に伝送し、固定フランジ２４は振動を固定コア２２に伝送し、固定コア２２は振動をケース本体２１に伝送し、ケース本体２１は振動を案内部３０に伝送するので、案内部３０の振動により眼部の付近に対するマッサージをすることができる。
【００４２】
図６を参照すると、この考案の他の実施形態において、前記固定フランジ２４と収納部２５の内壁には前記振動モーター２３と接触する突起２４１が形成されている。前記突起２４１の延伸の方向と前記固定フランジ２４の長さの方向は一致している。突起２４１と振動モーター２３が接触することにより、振動モーター２３が振動するときその振動は突起２４１の一部分の区域から固定フランジ２４の区域に伝送される。それにより振動の面から点の伝送を形成し、点から面の拡散を形成し、振動の伝送の効率を向上させることができる。
【００４３】
図６、図７および図８を参照すると、前記振動モーターを収納させる収納部２５の内壁には位置決め部２２３１が形成されている。位置決め部２２３１は２つの固定フランジ２４の連結の方向の両側に形成されている。位置決め部２２３１とモーター２３１の外壁が接触することにより、位置決め部２２３１は前記振動モーター２３が案内部３０の一側に移動することを制限する。位置決め部２２３１が前記振動モーター２３の移動を制限することにより、振動モーター２３を取り付けるときそれを容易に固定させ、モーター２３１と固定フランジ２４との間の接触の面積を大幅に増加させ、振動の伝送の効率を向上させることができる。
【００４４】
本実施例において、回路構造で前記ウルトラソニックセラミックチップ５０の作動を個別に制御することによりウルトラソニックセラミックチップ５０は振動を形成するか或いは回路構造で前記振動モーター２３の作動を個別に制御する。これにより振動モーター２３は高周波の振動を形成するか或いは回路構造で前記ウルトラソニックセラミックチップ５０と前記振動モーター２３の作動を同時に制御することができる。
【００４５】
図９と図１０を参照すると、前記美容装置の頭部は加熱部６０を更に含み、前記加熱部６０は前記ケース２０に近づいている前記案内部３０の一端に取り付けられ、前記加熱部６０は前記回路構造に電気接続される。他の実施例において、加熱部６０は前記接触部３１から離れている連結柱３２の端面に取り付けられ、前記加熱部６０は前記接触部３１から離れている連結柱３２の端面と接触し、かつ加熱部６０は案内部３０の一側に向かう固定コア２２の端面に位置する。すなわち前記加熱部６０は固定コア２２の表面と接触する。前記加熱部６０は楕円形の板状構造に形成され、加熱部６０の中心には前記固定フランジ２４と振動モーター２３を挿入させる貫通部が形成されている。固定部４０と温度センサー２６に対応する前記加熱部６０の所定の位置には収納孔６１が形成され、前記収納孔６１は貫通孔でありかつ加熱部６０の外壁を切って形成したものである。温度センサー２６と少なくとも１つの前記固定部４０は前記収納孔６１に挿入される。
【００４６】
加熱部６０の加熱により案内部３０の温度を変化させ、接触部３１は定温の状態を獲得することができる。接触部３１を眼部の付近に接触させることにより眼部の付近に対する理療をし、ジェルまたはエッセンスが眼部の付近に吸収されることを促進させることができる。加熱部６０の加熱、振動モーター２３の振動およびウルトラソニックセラミックチップ５０の振動により、美容装置の頭部１０で眼部の付近に対して美容をする効果を向上させることができる。
【００４７】
図１１、図１２および図１３を参照すると、前記ケース２０には温度センサー２６が更に設けられている。前記温度センサー２６は前記固定コア２２に挿入され、前記固定コア２２上には温度センサー２６を挿入させる挿入孔２２１が形成されている。前記温度センサー２６は対向するように形成される検出端２６１と連結端２６２を含み、前記検出端２６１は挿入孔２２１に挿入されるとともに接触部３１と接触し、前記連結端２６２は前記ケース２０内に挿入されるとともに回路構造９０に電気接続される。
【００４８】
温度センサー２６と加熱部６０に電気接続される回路構造９０上には制御装置９１が更に取り付けられている。前記制御装置９１は前記加熱部６０と前記温度センサー２６に電気接続され、前記制御装置９１は前記温度センサー２６が検出する温度により前記加熱部６０の作動を制御する。温度を制御することにより加熱部６０によって高温が形成されるとき眼部の付近の皮膚を傷つけることを避けることができる。
【００４９】
図１４と図１５を参照すると、前記連結柱３２上には前記温度センサー２６を収納させる収納孔３２１と少なくとも１つの固定部４０をネジ結合させるネジ孔３２２が形成されており、前記収納孔３２１と前記ネジ孔３２２は非貫通孔である。具体的な実施形態において、前記案内部３０は超音波ステンレススチール案内部であり、前記固定部４０の数量は２個であることができる。
【００５０】
図１５を再び参照すると、この考案の具体的な実施形態において、ウルトラソニックセラミックチップ５０は対向する二面に取り付けられる正極ａと負極ｂを含み、正極ａは案内部３０の一側と対向する。固定部４０を案内部３０に結合させるとき、固定部４０の有線耳部４１は回路構造に電気接続され、ウルトラソニックセラミックチップ５０の正極ａはオンされ、前記ウルトラソニックセラミックチップ５０の負極ｂの導線は回路構造に電気接続される。ウルトラソニックセラミックチップ５０の作動の効率を充分に利用することにより、前記温度センサー２６は前記美容装置の頭部１０の作動の時間を制御することができる。具体的に、検出端２６１が所定の温度より高い温度を検出する場合、制御装置は加熱部６０の作動を停止させることができるが、振動モーター２３またはウルトラソニックセラミックチップ５０の作動を停止させてもよい。前記温度センサー２６を案内部３０内に取り付けることにより温度の検出をより精密にすることができる。
【００５１】
注意されたいことは、スキンケアーをするとき、振動モーター２３またはウルトラソニックセラミックチップ５０を同時に使用するか或いは１つを選択して使用することができる。具体的に、使用者のニーズと使用者が使用するアイクリーム（eye  cream）、エッセンスまたは化粧水の相違点により適当に選択することができる。加熱部６０を使用するときも、振動モーター２３とウルトラソニックセラミックチップ５０の振動を同時に使用することができ、使用者が使用するアイクリーム、エッセンスまたは化粧水の性質により具体的に選択することができる。
【００５２】
図１５を再び参照すると、前記美容装置の頭部１０は密閉部７０を更に含む。前記密閉部７０は前記加熱部６０と前記連結柱３２の端面との間に取り付けられ、前記密閉部７０は案内部３０の一側に向かう前記加熱部６０の表面上に位置する。前記密閉部７０はジェルまたはエッセンスが回路構造に流入することを有効に防止し、密閉性を向上させることにより美容装置の頭部１０の内部の部品を保護することができる。
【００５３】
図１６を参照すると、前記密閉部７０は楕円形の板状構造に形成され、前記密閉部７０の中心には前記固定フランジ２４と振動モーター２３を挿入させる貫通部が形成されている。少なくとも１つの前記固定部４０と温度センサー２６の位置に対応する前記密閉部７０の所定の位置には結合孔７１が形成され、少なくとも１つの前記固定部４０と温度センサー２６が前記結合孔７１に挿入されることにより密閉構造が形成される。
【００５４】
好ましくは、具体的な実施形態において、前記美容装置の頭部１０は眼部美容装置の頭部であることができる。
【００５５】
注意されたいことは、温度センサー２６、ウルトラソニックセラミックチップ５０および振動モーター２３に電気接続される回路構造は複数個であることができる。前記温度センサー２６、ウルトラソニックセラミックチップ５０および振動モーター２３は複数個の回路構造にそれぞれ電気接続されるか或いは１つの回路構造に電気接続されることができる。すなわち前記温度センサー２６、ウルトラソニックセラミックチップ５０および振動モーター２３は１つの回路構造に一緒に電気接続されることができる。
【００５６】
図１７を参照すると、この考案の第二実施例において美容装置８０を提供し、前記美容装置８０は前記ケース２０に連結される取っ手８１を含む。前記取っ手８１にはスイッチ８１１が取り付けられ、前記スイッチ８１１は前記ウルトラソニックセラミックチップ５０、振動モーター２３、加熱部６０、温度センサー２６の作動を制御する。
【００５７】
具体的に、前記スイッチ８１１の数量は複数個であることができる。この場合、異なるスイッチ８１１をそれぞれ押すことによりウルトラソニックセラミックチップ５０、振動モーター２３、および加熱部６０の開閉をそれぞれ制御することができる。前記スイッチ８１１の数量は１つであることもできる。この場合、スイッチ８１１を複数回押すことによりウルトラソニックセラミックチップ５０、振動モーター２３、および加熱部６０の開閉をそれぞれ制御することができる。この考案の具体的な実施形態において、前記スイッチ８１１は音声制御型スイッチ、タッチ型スイッチであることができる。
【００５８】
前記美容装置８０内にはストーリッジバッテリー（storage  battery、図示せず）が取り付けられ、前記取っ手８１上には磁石吸着型充電口４０１が形成されている。外部の磁石吸着型充電装置（図示せず）を磁石吸着型充電口４０１に吸着させることにより前記美容装置８０の充電をする。外部の磁石吸着型充電装置は磁石吸着型チャージャー、磁石吸着型充電線等の充電装置であることができる。
【００５９】
この考案の具体的な実施例において、前記磁石吸着型充電口４０１の代わりにＤＣ充電インターフェース（図示せず）を使用することができる。外部のＤＣ充電装置（図示せず）を前記ＤＣ充電インターフェースに接続させることにより前記美容装置８０に対して充電をすることができる。前記外部のＤＣ充電装置は、ＤＣ充電線、充電式データライン等の電線のうちいずれかの一種であることができる。
【００６０】
この考案の他の実施形態において、前記美容装置８０の充電インターフェースは前記二種にのみ限定されるものでなく、他の充電インターフェースであることもできる。美容装置８０に対して充電をするものであればいずれでもよい。例えば、type-cインターフェース、micro-usb等の常用のインターフェースのうちいずれかの一種であることができる。
【００６１】
従来の技術と比較してみると、この考案の美容装置の頭部および美容装置により下記考案の効果を獲得することができる。
１、美容装置の頭部は、ケース、前記ケースに連結される案内部、前記案内部とケースを固定連結させる少なくとも１つの固定部および案内部内に設けられるウルトラソニックセラミックチップを含む。ケースは外部の取っ手に連結され、案内部は使用者の皮膚と接触し、ウルトラソニックセラミックチップの対向する二面上には極性が反対である電極が形成され、１つの電極は案内部に電気接続される。少なくとも１つの固定部は案内部と接触することにより電気伝送を実現し、前記案内部に電気接続される固定部上には回路構造に電気接続される有線耳部が形成され、他の１つの電極は回路構造の他端に電気接続される。固定部により前記ケースと案内部は着脱可能に結合され、固定部によりウルトラソニックセラミックチップの１つの電極は案内部から離れている固定部の一端に電気接続される。固定部の他端上に有線耳部が形成されることにより導電構造が形成される。固定部は固定連結をするとともに導電構造を形成することにより、構造を簡単にし、コストを低減することができる。その場合、ウルトラソニックセラミックチップ上に他の導電構造を形成する必要がないので、組み立てを簡単にし、従来のウルトラソニックセラミックチップにおいて正極と負極を正確に接続させ、正極と負極が１つの表面上に間隔を空けて形成されるように隔離部を形成することを避けることができる。隔離部は振動を形成しないので、ウルトラソニックセラミックチップの振動の効率に影響を与えるおそれがある。
ウルトラソニックセラミックチップの振動によりジェルまたはエッセンスの液体構造を散らかすことにより霧を形成し、ジェルまたはエッセンスの吸収を促進させることができる。また、ウルトラソニックセラミックチップの振動により少量の熱が形成されるので、眼部の付近に対する定温のヒートパック（heat  pack）の効果を獲得し、眼部の付近の疲労、ダークネス（Darkness）および浮腫を有効に低減することができる。
【００６２】
２、ケース内には振動モーターが取り付けられている。振動モーターは前記回路構造に電気接続され、振動モーターが作動するとき形成される振動は前記ケースにより前記案内部に伝送される。振動モーターで高周波の振動を形成し、高周波の振動により皮膚のマッサージをし、ジェルまたはエッセンスが使用者の皮膚に吸収されることを促進させ、水分と栄養を正確に補充することができ、超音エネルギー波を継続的に出力することにより、荒い皮膚を白くて柔らかくし、潤滑にし、弾性があるようにすることができる。
【００６３】
３、ケースはケース本体と前記ケース本体内に形成される固定コアを含み、固定コアには振動モーターを取り付ける収納部が形成され、振動モーターは収納部の内壁に当接し、固定コア上には固定部を挿入させる貫通孔が更に形成され、振動モーターの振動はケースにより案内部に伝送される。それにより案内部の振動は使用者の皮膚に伝送され、超音波の振動美容をすることができる。
【００６４】
４、美容装置の頭部は加熱部を更に含み、前記加熱部は前記ケースに近づいている案内部の一端に取り付けられ、前記加熱部は回路構造に電気接続される。加熱部で加熱をすることにより案内部の温度を変化させ、皮膚の温度を変化させることができる。それによりジェルまたはエッセンスが皮膚に吸収されることを促進させ、加熱部の役割と振動モーターおよびウルトラソニックセラミックチップの振動により、美容装置の頭部で美容をする効果を更に向上させることができる。
【００６５】
５、美容装置の頭部は前記案内部内に設けられる温度センサーを更に含み、温度センサーは回路構造に電気接続され、回路構造上には制御装置が更に設けられ、制御装置は加熱部と温度センサーに電気接続される。制御装置は温度センサーが検出する温度により前記加熱部の作動を制御することにより、美容装置の頭部の案内部の作動の温度を有効に制御することができる。温度を所定の範囲にすることにより加熱部によって高温が形成されるとき皮膚を傷つけることを避けることができる。加熱して皮膚の美容をすることにより美容の効果を向上させることができる。
【００６６】
６、回路構造上には制御装置が更に設けられ、制御装置は加熱部と温度センサーに電気接続され、制御装置は温度センサーが検出する温度により前記加熱部の作動を制御する。制御装置で加熱部の作動を制御することにより、加熱部によって高温が形成されるとき案内部と接触する眼部の皮膚を傷つけるか或いは眼部の付近の皮膚を傷つけることを避けることができる。
【００６７】
７、ケース本体内には固定フランジが形成され、固定フランジは収納部の内壁に沿って延伸していることにより、固定フランジは前記固定コアの厚さの方向における２つの表面から突出している。固定フランジが形成されることにより振動モーターの振動を容易に伝送することができる。
【００６８】
８、前記固定フランジには突起が形成され、前記突起と前記振動モーターは当接する。突起が形成されることにより振動モーターの高周波の振動を振動モーターから固定フランジに伝送し、高周波の振動を形成することができる。それにより振動の面から点の伝送を形成し、点から面の拡散を形成し、振動の伝送の効率を向上させることができる。
【００６９】
９、前記収納部の内壁には位置決め部が形成され、前記位置決め部は前記固定フランジの連結の方向の両側に形成されている。前記位置決め部と振動モーターが接触することにより、前記位置決め部は前記振動モーターが前記案内部の一側に移動することを制限する。位置決め部で前記振動モーターの移動を制限することにより、振動モーターを取り付けるときそれを容易に固定させ、振動モーターと固定フランジとの間の接触の面積を大幅に増加させ、振動の伝送の効率を向上させることができる。
【００７０】
１０、案内部は皮膚と接触する円弧形の接触部と接触部に連結される連結柱を含む。連結柱は中空の形状に形成され、ウルトラソニックセラミックチップは連結柱内に収納され、加熱部は接触部から離れている連結柱の端面に連結され、案内部に近づいている固定コアの一側とケース本体の端面との間には一定の距離が形成されることにより連結柱を収納させる空間が形成され、連結柱の外周面はケースの内壁面に結合される。案内部の円弧形の接触部により、案内部を皮膚に接触させてマッサージをするとき快適性を増加させ、使用者の体験性を向上させることができる。前記ウルトラソニックセラミックチップは連結柱内に収納されることにより、回路構造と案内部の電気接続を容易に実施し、連結柱を収納させる空間および連結柱の外周面とケースの内壁面の接続により美容装置の頭部の体積を減少させ、小型化を実現することができる。
【００７１】
１１、前記美容装置の頭部は密閉部を更に含み、前記密閉部は前記連結柱の端面と前記加熱部との間に取り付けられ、加熱部は固定コアの表面と接触する。密閉部が取り付けられることにより外部の液体、例えばジェルまたはエッセンスが回路構造に流入することを有効に防止し、密閉性を向上させることができる。
【００７２】
１２、前記美容装置の頭部は眼部美容装置の頭部であることにより眼部の美容をすることができる。それにより眼部の過度の疲労により形成されるブラックアイサークル（dark  eye  circles）、アンダーアイ・バッグ（Under-eye  Bags）および細かい皺等を低減し、眼部の付近の美容をすることができる。
【００７３】
１３、美容装置はケースに着脱可能に連結される取っ手と取っ手に取り付けられるスイッチを含む。スイッチは前記ウルトラソニックセラミックチップ、振動モーター、加熱部、及び温度センサーの作動を制御する。使用者は取っ手を把持することにより美容装置を使用し、スイッチで美容装置の頭部の作動の状態を制御することにより利便性を向上させることができる。
【００７４】
１４、美容装置内にはストーリッジバッテリーが取り付けられ、取っ手上には磁石吸着型充電口が形成されている。外部の磁石吸着型充電装置を磁石吸着型充電口に結合させることにより前記ストーリッジバッテリーの充電をすることができる。美容装置は磁石吸着型充電口と外部の磁石吸着型充電装置を連結させることにより充電をし、充電を容易にすることができる。美容装置の取っ手上にはＤＣ充電インターフェースが更に取り付けられている。磁石吸着型充電装置と比較してみると、ＤＣ充電インターフェースにより美容装置の充電を迅速に実施し、美容装置の充電の効率を向上させることができる。異なる充電インターフェースによりいろいろなニーズを満たすことができる。
【００７５】
以上、この考案の好適な実施例を説明してきたが、この考案は前記実施例にのみ限定されるものでなく、この考案の要旨を逸脱しない範囲の設計の変更、取り換え、改良等があってもこの考案に含まれることは勿論である。
【符号の説明】
【００７６】
１０  美容装置の頭部
２０  ケース
２１  ケース本体
２２  固定コア
２２１  挿入孔
２２３  貫通孔
２２３１  位置決め部
２３  振動モーター
２３１  モーター
２３２  ピン
２４  固定フランジ
２４１  突起
２５  収納部
２６  温度センサー
２６１  検出端
２６２  連結端
３０  案内部
３１  接触部
３２  連結柱
３２１  収納孔
３２２  ネジ孔
４０  固定部
４０１  磁石吸着型充電口
４１  有線耳部
５０  ウルトラソニックセラミックチップ
６０  加熱部
６１  収納孔
７０  密閉部
７１  結合孔
８０  美容装置
８１  取っ手
８１１  スイッチ
９０  回路構造
９１  制御装置
【図１】
0003226150.tif 000003
【図２】
0003226150.tif 000004
【図３】
0003226150.tif 000005
【図４】
0003226150.tif 000006
【図５】
0003226150.tif 000007
【図６】
0003226150.tif 000008
【図７】
0003226150.tif 000009
【図８】
0003226150.tif 000010
【図９】
0003226150.tif 000011
【図１０】
0003226150.tif 000012
【図１１】
0003226150.tif 000013
【図１２】
0003226150.tif 000014
【図１３】
0003226150.tif 000015
【図１４】
0003226150.tif 000016
【図１５】
0003226150.tif 000017
【図１６】
0003226150.tif 000018
【図１７】
0003226150.tif 000019